(57)【要約】【課題】施錠動作を円滑に行うとともに、ロック部材と被ロック部材との係合の調整作業を容易にする。【解決手段】筺体本体２の側板８には、施錠装置９が取り付けられており、この施錠装置９の回動軸１０には施錠プレート１１の基端部１１ａが軸着されている。施錠プレート１１の回動端部１１ｂには支持孔１１ｃが穿孔され、この支持孔１１ｃにはロック部材１２の軸部１２ｃが遊挿されている。施錠装置９の回動軸１０を回動操作することにより、係合部材１２が扉側に設けられた被ロック部材３０ａに係合して扉が閉じられる。ロック部材１２と回動端部１１ｂとの間には間隔δ１が設けられ、回動端部１１ｂとＥリングとの間には間隔δ２が設けられている。ロック部材１２の外周部には断面が円弧状の面取部１２ｂが設けられ、被ロック部材３０ａは断面が円弧状に形成されている。被ロック部材３０ａは支持板２９に矢印Ｃ−Ｄ方向に進退可能に取り付けられている。【選択図】        図９
2004324331.tif 000002
【特許請求の範囲】
【請求項１】
一面が開口した箱状に形成され内部に案内溝が設けられた筺体本体と、
この筺体本体の案内溝に案内される軸を有し、この軸を案内溝の一端に位置付けることにより前記筺体本体の開口を開閉自在とする扉と、
この扉の軸を案内溝の他端に位置付けることにより扉を施錠する施錠装置と、
この施錠装置の施錠動作に連動して移動するロック部材と、
このロック部材と係合し前記軸が案内溝内を移動するのを規制する被ロック部材とを備えた筺体の開閉構造において、
前記施錠装置と前記ロック部材との間に前記ロック部材を移動させる支持部材を設け、この支持部材にロック部材を揺動可能に支持し、前記被ロック部材をロック部材に対して進退可能に支持したことを特徴とする筺体の開閉構造。
【請求項２】
請求項１記載の筺体の開閉構造において、
前記ロック部材と被ロック部材との互いに係合する係合部の少なくとも外周端部を円弧状に形成したことを特徴とする筺体の開閉構造。
【発明の詳細な説明】
【０００１】
【発明の属する技術分野】
本発明は、筺体本体とこの筺体本体の開口を開閉する扉とからなり、高い密閉性と破壊防止のための対策が要求される筺体の開閉構造に関する。
【０００２】
【従来の技術】
従来の筺体の開閉構造は、案内溝が設けられた本体と、案内溝に案内される支承軸を有し、この支承軸を案内溝の一端に位置付けることにより本体の開口を開閉自在とする扉と、支承軸を案内溝の他端に位置付けることにより扉を本体に施錠する施錠装置と、この施錠装置の施錠動作に連動して移動するロックプレートと、このロックプレートと係合し支承軸が案内溝内を移動するのを規制するブラケットとを備えたものがある（例えば、特許文献１参照）。なお、本出願人は、本明細書に記載した先行技術文献情報で特定される先行技術文献以外には、本発明に密接に関連する先行技術文献を出願時までに見付け出すことはできなかった。
【０００３】
【特許文献１】
特開２００２−７０４０９号公報（段落「００１７」、「００２０」および図２，７）
【０００４】
【発明が解決しようとする課題】
上述した従来の筺体の開閉構造においては、ブラケットが扉に固着され、ロックプレートが錠前装置に固定された構造になっているため、各構成部品の加工精度や組立精度に誤差が発生すると、ブラケットとロックプレートとの係合が円滑に行えないという問題があった。また、ブラケットとロックプレートとに互いの係合を調整する調整手段が備えられていないため、これらの係合の調整を錠前装置や扉の取付位置を調整するというように作業が煩雑になるという問題もあった。
【０００５】
本発明は上記した従来の問題に鑑みなされたものであり、第１の目的は施錠動作を円滑に行うことにある。第２の目的はロック部材と被ロック部材との係合の調整作業を容易にすることにある。
【０００６】
【課題を解決するための手段】
この目的を達成するために、請求項１に係る発明は、一面が開口した箱状に形成され内部に案内溝が設けられた筺体本体と、この筺体本体の案内溝に案内される軸を有し、この軸を案内溝の一端に位置付けることにより前記筺体本体の開口を開閉自在とする扉と、この扉の軸を案内溝の他端に位置付けることにより扉を施錠する施錠装置と、この施錠装置の施錠動作に連動して移動するロック部材と、このロック部材と係合し前記軸が案内溝内を移動するのを規制する被ロック部材とを備えた筺体の開閉構造において、前記施錠装置と前記ロック部材との間に前記ロック部材を移動させる支持部材を設け、この支持部材にロック部材を揺動可能に支持し、前記被ロック部材をロック部材に対して進退可能に支持したものである。
したがって、被ロック部材を進退させることにより、被ロック部材とロック部材との係合状態を調整することができる。また、仮に支持部材が傾斜して取り付けられたとしても、ロック部材が揺動し被ロック部材との係合が確実かつ円滑に行われる。
【０００７】
また、請求項２に係る発明は、請求項１に係る発明において、前記ロック部材と被ロック部材との互いに係合する係合部の少なくとも外周端部を円弧状に形成したものである。
したがって、ロック部材と被ロック部材とが互いに係合を開始するときに外周端部が係合を案内する案内面として機能する。
【０００８】
【発明の実施の形態】
以下、本発明の実施の形態を図に基づいて説明する。図１は本発明に係る筺体の開閉構造において扉を開いた状態を示す斜視図、図２（ａ）は同じく筺体本体の正面図、同図（ｂ）は同図（ａ）におけるＩＩ（ｂ）−ＩＩ（ｂ）  線断面図、図３（ａ）は扉を９０°開いた状態の筺体の一部を破断して示す正面図、同図（ｂ）は同図（ａ）におけるＩＩＩ（ｂ）−ＩＩＩ（ｂ）  線断面図、図４（ａ）は扉を閉めた状態の筺体の扉の一部を破断して示す正面図、同図（ｂ）は同図（ａ）における  ＩＶ（ｂ）−ＩＶ（ｂ）線断面図である。
【０００９】
図５は同じく扉を９０°開いた状態を示す平断面図、図６は同じく扉を閉じ始め扉の回動が終了した状態を示す平断面図、図７は同じく扉の前後方向の移動が終了した状態を示す平断面図、図８は同じく扉の左右方向の移動が終了し、扉によって筺体本体の開口を閉じた状態を示す平断面図、図９は同じく要部を拡大し一部を破断して示す正面図、図１０（ａ）はロック部材と被ロック部材が係合を開始した状態を示す要部の拡大図、同図（ｂ）は支持板が傾斜して取り付けられたときのロック部材と被ロック部材との係合状態を示す要部の拡大図である。
【００１０】
図１に示すように、全体を符号１で示す筺体は、共に金属によって形成された筺体本体２とこの筺体本体２の開口５を開閉自在とする扉３とによって概ね構成されている。筺体本体２は略箱状に形成され、この筺体本体２の前面側は、図中右端側に設けた突出部４と、この突出部４に隣接した扁平直方体状の開口５とによって形成されている。したがって、筺体本体２の上板６と底板７は共に平面視逆Ｌ字状に形成され、これら上板６および底板７の左端に一体に形成した側板８には、図９に示すように、凹嵌部８ａが設けられており、この凹嵌部８ａの底部８ｂには錠前９が取り付けられている。
【００１１】
この錠前９の回動軸１０には、断面がクランク状に形成された支持部材としての錠前プレート１１の基端部１１ａが軸着されており、回動端部１１ｂには支持孔１１ｃが穿孔されている。１２は扁平な円板状に形成されたロック部材であって、表面側の中央部１２ａは平坦状に形成され、表面側の外周部には断面が円弧状に形成された面取部１２ｂが設けられており、裏面の中央部には軸部１２ｃが一体に突出形成され、この軸部１２ｃの外周部の一部には円環状の溝１２ｄが凹設されている。
【００１２】
上記錠前プレート１１の支持孔１１ｃの径は、このロック部材１２の軸部１２ｃの直径よりもやや大きく形成されている。ロック部材１２は、図９に示すように、軸部１２ｃが錠前プレート１１の支持孔１１ｃに遊挿され、溝１２ｄにＥリング１４を係入することにより、錠前プレートの回動端部１１ｂに支持される。１３は側板８の内面に固着された上縁金であって、図２に示すように、上板６に平行な軸支承部１３ａが折り曲げ形成されている。
【００１３】
後述するように、このロック部材１２がねじ３０の頭部３０ａに係合した状態で、軸部１２ｃの先端が上縁金１３に係止され、図８に示す状態の扉３が矢印Ｃ方向への移動が規制される。このとき、ロック部材１２と錠前プレート１１の回動端部１１ｂとの間に間隔δ１が形成されているとともに、Ｅリング１４と錠前プレートの回動端部１１ｂとの間に間隔δ２が形成されている。このように、錠前プレート１１の支持孔１１ｃの径が、ロック部材１２の軸部１２ｃの直径よりもやや大きく形成され、かつロック部材１２と錠前プレートの回動端部１１ｂとの間に間隔δ１が形成されているとともに、Ｅリング１４と錠前プレートの回動端部１１ｂとの間に間隔δ２が形成されていることにより、ロック部材１２は錠前プレート１１に揺動可能に取り付けられている。
【００１４】
図２において、１６は側板８の内面の下側に固着された下縁金であって、上記上縁金１３の軸支承部１３ａに対向するように、上下一対の軸支承部１６ａ，１６ｂが折り曲げ形成されている。これら軸支承部１３ａ，１６ａ，１６ｂには、図５に示すように、前後方向（図中矢印Ａ−Ｂ方向）に延在する第１の案内部１７ａと、左右方向（図中矢印Ｃ−Ｄ方向）に延在する第２の案内部１７ｂとからなる逆Ｌ字状の案内溝１７が、それぞれ対向するように設けられている。
【００１５】
筺体本体２の上板６と底板７の開口５側のそれぞれには、図１に示すように、上下の縁金１８，１８が開口５から矢印Ａ側に突出するように固着されている。これら縁金１８，１８の略中央の前端部には、図５に示すように、前端の一部に開口１９ａを有し矢印Ｄ方向に延在する係合凹部１９が設けられている。
【００１６】
扉３は、図１に示すように、上板２１と底板２２と前板２３と一方側に設けられた側板２４とによって、後端側と他方側の側方が開口し、筺体本体２の開口５と略同じ大きさの箱状に形成されている。２５はヒンジ板であって、扉３の側板２４にこの側板２４と略平行となるように固定され、このヒンジ板２５には、４枚の軸支承板２６ａ，２６ｂ，２６ｃ，２６ｄが互いに平行となるように上下方向に間隔をおいて設けられている。
【００１７】
これら軸支承板２６ａ，２６ｂ，２６ｃ，２６ｄの一端側は、扉３の開口から突出しており、これらの一端部には、上下方向に延在する軸２７が回動自在に支持されている。この軸２７の上下端部は、上下の軸支承板２６ａ，２６ｄから突出しており、これら突出部のそれぞれは、扉３の上板２１および底板２２に固定された支持板２８，２８に、図示を省略したＥリングにより軸方向の移動が規制された状態で回転自在に支持されている。この軸２７が上述した筺体本体２の軸支承部１３ａ，１６ａ，１６ｂの案内溝１７に係入されることにより、後述するように、扉３がこの軸２７を介して筺体本体２に対して移動自在でかつ回動自在に支持される。
【００１８】
上記したヒンジ板２５の扉３の開口から突出した部位には、図５に示すように、支持板２９が扉３の側板２４と平行となるように固着されている。この支持板２９のねじ孔（図示せず）には、図９に示すように、支持板２９に対して矢印Ｃ−Ｄ方向に進退自在となるようにねじ３０が螺合しており、このねじ３０の被ロック部材としての頭部３０ａは断面が円弧状に形成され、筺体本体２の側板８側に露呈している。このねじ３０の頭部３０ａには、後述するように、扉３によって本体筺体２の開口５を閉じた状態で、施錠装置９の回動軸１０を回動操作することにより、上記したロック部材１２が係合する。
【００１９】
図１、図３および図５において、扉３の上板２１と底板２２の内面のそれぞれには、縁金３２，３２が互いに対向するように固着されており、これらの縁金３２，３２には、上述した筺体本体２の上下の係合凹部１９，１９に係合し、係合凹部１９と係合手段を形成する突起３３，３３が設けられている。すなわち、後述するように、図７の状態にすると、突起３３が係合凹部１９の開口１９ａから係合凹部１９内に係入され、この状態から図８の状態にすることにより、突起３２が係合凹部１９に係合するので、扉３の矢印Ａ方向への移動が規制される。
【００２０】
次に、主に、図５ないし図１０を用いて筺体の開閉動作を説明する。
図６に示すように、軸２７が案内溝１７の第１の案内部１７ａの下端、すなわち案内溝１７の一端に位置付けられたときには、扉３が筺体本体２の開口５から外れた位置に位置付けられるので、扉３は軸２７を回動中心として回動させても扉３の右端部が筺体本体２の突出部４に接触しないように位置付けられている。
【００２１】
したがって、扉３が回動可能な状態になっているので、扉３を軸２７を回動中心として図中時計方向に回動させることにより、図５に示すように、筺体本体２の開口５が開放される。このとき、軸２７が第１の案内部１７ａの下端に位置付けられ、かつヒンジ板２５の軸支承板２６ａ，２６ｂ，２６ｃ，２６ｄの軸２７を支承する一端側が、扉３の開口から突出していることにより、筺体本体２の開口５の前面側を大きく開放することが可能となる。
【００２２】
図６の状態から、扉３を矢印Ｂ方向へ移動させると、軸２７が第１の案内部１７ａに案内され、図７に示すように、第１の案内部１７ａの上端に位置付けると、扉３の上板２１の後端２１ａと底板２２の後端２２ａ（上板２１側は図示せず）が、筺体本体２の上板６の前端６ａと底板７の前端７ａ（上板６側は図示せず）に対接する。
【００２３】
さらに、扉３を図中矢印Ｄ方向に移動させると、軸２７が第２の案内部１７ｂに案内される。したがって、軸２７が図８に示すように、第２の案内部１７ｂの右端、すなわち案内溝１７の他端に位置付けられると、扉３の上板２１の右端２１ｂと底板２２の右端２２ｂ（上板２１側は図示せず）とのそれぞれが、筺体本体２の上板６の突出端６ｂと底板７の突出端７ｂ（上板６側は図示せず）のそれぞれに対接する。
【００２４】
この状態で、図９に示すように、施錠装置９の回動軸１０を回動操作させ、ロック部材１２の表面側の中央部１２ａをねじ３０の頭部３０ａに係合させることにより、図８において扉３を矢印Ｃ方向に移動させようとしても、軸部１２ｃの先端が上縁金１３に係止されたロック部材１２とねじ３０の頭部３０ａとの係合によって阻止されるため扉３の施錠が確保される。
【００２５】
このとき、ロック部材１２の表面側の外周部には、断面が円弧状に形成された面取部１２ｂが設けられ、かつねじ３０の頭部３０ａの断面が円弧状に形成されていることにより、図１０（ａ）に示すように、これら面取部１２ｂと頭部３０ａとが係合を案内する案内面して機能するから係合が円滑に行われる。
【００２６】
ここで、図９において絞り加工によって形成した凹嵌部８ａの底部８ｂが図中鉛直方向に延在するように形成されずに傾斜して形成された場合には、この凹嵌部８ａの底部８ｂに取り付けられた錠前９の錠前プレート１１が傾斜して取り付けられ、図１０（ｂ）に示すように、回動端部１１ｂも縁金１３に対して平行にならずに傾斜した状態になる。
【００２７】
この場合には、上述したように、ロック部材１２が錠前プレート１１に揺動可能に取り付けられていることにより、たとえ錠前プレート１１が傾斜して取り付けられたとしても、ロック部材１２は鉛直方向に延在するように姿勢が保持される。したがって、ねじ３０の頭部３０ａとの係合ができなかったり、ねじ３０の頭部３０ａとの間に隙間が発生するようなことがないから、係合が確実に行われるため筺体１の密閉性を向上させることができる。
【００２８】
また、ロック部材１２とねじ３０の頭部３０ａとの係合状態を調整するには、図９に示すように、ねじ３０を支持板２９に対して矢印Ｃ−Ｄ方向に進退させることにより、ロック部材１２と円滑かつ確実に係合できるように調整することができ、ナット３１によってその状態が固定される。したがって、ロック部材１２とねじ３０の頭部３０ａとの係合状態の調整を短時間かつ容易に行うことができる。
【００２９】
この状態から扉３を開くには、錠前９の回動軸１０を回動操作しロック部材１２とねじ３０の頭部３０ａとの係合を解除し、図８において、扉３を矢印Ｃ方向に移動させ、図７に示すように、軸２７を第２の案内部１７ｂの左端に位置付けると、突起３３が係合凹部１９の開口１９ａに臨む。
【００３０】
この状態で、扉３を矢印Ａ方向に移動させると、図６に示すように、軸２７が第１の案内部１７ａの下端に位置付けられ、突起３３が係合凹部１９から外れ、扉３が筺体本体２の開口５から外れる。したがって、軸２７を回動中心として扉３を図中時計方向に回動することにより、図３に示すように筺体本体２の開口５が開放される。
【００３１】
なお、本実施の形態においては、ねじ３０の頭部３０ａの全体の断面を円弧状に形成したが、頭部３０ａの中央部を平坦状に形成してもよく、また、ロック部材１２の表面側の全体の断面を円弧状に形成してもよい。
【００３２】
【発明の効果】
以上説明したように、請求項１に係る発明によれば、ロック部材と被ロック部材との係合状態を調整する作業が容易になるというばかりではなく、施錠動作が円滑に行われかつ施錠が確実になされる。
【００３３】
また、請求項２に係る発明によれば、施錠動作を円滑に行うことができる。
【図面の簡単な説明】
【図１】本発明に係る筺体の開閉構造において扉を開いた状態を示す斜視図である。
【図２】同図（ａ）は本発明に係る筺体の開閉構造における筺体本体の正面図、同図（ｂ）は同図（ａ）におけるＩＩ（ｂ）−ＩＩ（ｂ）  線断面図である。
【図３】同図（ａ）は本発明に係る筺体の開閉構造において、扉を９０°開いた状態の筺体の一部を破断して示す正面図、同図（ｂ）は同図（ａ）における  ＩＩＩ（ｂ）−ＩＩＩ（ｂ）線断面図である。
【図４】同図（ａ）は本発明に係る筺体の開閉構造において、扉を閉めた状態の筺体の扉の一部を破断して示す正面図、同図（ｂ）は同図（ａ）におけるＩＶ（ｂ）−ＩＶ（ｂ）  線断面図である。
【図５】本発明に係る筺体の開閉構造において、扉を９０°開いた状態を示す平断面図である。
【図６】本発明に係る筺体の開閉構造において、扉を閉じ始め扉の回動が終了した状態を示す平断面図である。
【図７】本発明に係る筺体の開閉構造において、扉の前後方向の移動が終了した状態を示す平断面図である。
【図８】本発明に係る筺体の開閉構造において、扉の左右方向の移動が終了し、扉によって筺体本体の開口を閉じた状態を示す平断面図である。
【図９】本発明に係る筺体の開閉構造において、要部を拡大し一部を破断して示す正面図である。
【図１０】同図（ａ）は本発明に係る筺体の開閉構造において、ロック部材と被ロック部材が係合を開始した状態を示す要部の拡大図、同図（ｂ）は支持板が傾斜して取り付けられたときのロック部材と被ロック部材との係合状態を示す要部の拡大図である。
【符号の説明】
１…筺体、２…筺体本体、３…扉、５…開口、９…錠前、１０…回動軸、１１…錠前プレート、１１ｂ…回動端部、１１ｃ…支持孔、１２…ロック部材、１２ａ…面取部、１２ｂ…軸部、１３ａ，１６ａ，１６ｂ…軸支承部、１７…案内溝、１７ａ…第１の案内部、１７ｂ…第２の案内部、１９…係合凹部、２５…ヒンジ板、２７…軸、３０…ねじ、３０ａ…頭部、３１…ナット、３２…突起。
【図１】
2004324331.tif 000003
【図２】
2004324331.tif 000004
【図３】
2004324331.tif 000005
【図４】
2004324331.tif 000006
【図５】
2004324331.tif 000007
【図６】
2004324331.tif 000008
【図７】
2004324331.tif 000009
【図８】
2004324331.tif 000010
【図９】
2004324331.tif 000011
【図１０】
2004324331.tif 000012